(57)【特許請求の範囲】
【請求項１】
樹木（１０）の根元部（１２）に差し込むための切欠（３）を有する主被着材（１）を、該切欠（３）を前記樹木（１０）の根元部（１２）に差し込むことによって根鉢（１１）の上面に被着し、前記主被着材（１）の切欠（３）における樹木（１０）の根元部（１２）側を覆うための補助被着材（１５）を、前記主被着材（１）の上面であって樹木（１０）の根元部（１２）の周囲に設置し、前記主被着材（１）及び補助被着材（１５）の上面側から固定材（２）を打ち込むことによって前記根鉢（１１）の周辺部を固定することにより、樹木（１０）を支持して施工することを特徴とする樹木の支持施工方法。
【請求項２】
予め地面に形成された植穴（９）内に根鉢（１１）を収納し、且つ前記植穴（９）を土等により閉塞することにより植設される樹木の支持施工方法において、樹木（１０）の根元部（１２）に差し込むための切欠（３）を有する主被着材（１）を、該切欠（３）を前記樹木（１０）の根元部（１２）に差し込むことによって根鉢（１１）の上面に被着し、前記主被着材（１）の切欠（３）における樹木（１０）の根元部（１２）側を覆うための補助被着材（１５）を、前記主被着材（１）の上面であって樹木（１０）の根元部（１２）の周囲に設置し、前記主被着材（１）及び補助被着材（１５）の上面側から固定材（２）を打ち込むことによって前記根鉢（１１）の周辺部を固定することにより、樹木（１０）を支持して施工することを特徴とする樹木の支持施工方法。
【請求項３】
主被着材（１）が、植穴（９）の外側まで延設して固定されている請求項２記載の樹木の支持施工方法。
【請求項４】
固定材（２）が、竹製である請求項１乃至３のいずれかに記載の樹木の支持施工方法。
【請求項５】
固定材（２）の頂面が左右に突設されて頭部（５）が形成されることにより全体が略Ｔ字状に形成されている請求項１乃至４のいずれかに記載の樹木の支持施工方法。
【請求項６】
固定材（２）の頭部（５）の下面に、略楔形の窪み部（６）が形成されている請求項５記載の樹木の支持施工方法。
【発明の詳細な説明】
【０００１】
【発明の属する技術分野】
本発明は、樹木の支持施工方法、主として、苗木，幼木等の比較的小さな樹木を支持するための支持施工方法に関する。
【０００２】
【従来の技術】
一般に、苗木等の小さな樹木を植え込む場合には、苗木等の根鉢を地中に埋設して植え込まれている。
【０００３】
【発明が解決しようとする課題】
しかしながら、従来では、根鉢を地中に埋設して植え込んでいるだけであるため、樹木を確実に支持することができないという問題があった。
【０００４】
そこで、このような問題点を解決するために、たとえば金属製のワイヤー等を苗木の根鉢に巻装することも考えられるが、この場合には、樹木の根元部が必要以上に締め付けられるおそれがあり、ひいては根元部の損傷等を生じさせるおそれがあった。
【０００５】
さらに、樹木の周辺に雑草が生える可能性があり、このような場合には、樹木、特に苗木のような小樹木の場合には、その位置の確認が非常に困難となり、又、確認し難い故に雑草の草刈り時に誤って樹木まで切断するおそれがあり、さらには雑草の被圧や養分吸収により樹木の生育が不良となる等の種々の問題点があった。
【０００６】
本発明は上述のような問題点を解決するためになされたもので、苗木等のいわゆる小樹木をも確実に支持することができ、且つ樹木の根元部等の損傷を生じさせるのを防止することを課題とする。
【０００７】
また、本発明の他の課題は、樹木の根元部の周辺の雑草の生育を抑制することである。
【０００８】
【課題を解決するための手段】
本発明は、このような課題を解決するために、樹木の支持施工方法としてなされたもので、その特徴は、樹木１０の根元部１２に差し込むための切欠３を有する主被着材１を、該切欠３を前記樹木１０の根元部１２に差し込むことによって根鉢１１の上面に被着し、前記主被着材１の切欠３における樹木１０の根元部１２側を覆うための補助被着材１５を、前記主被着材１の上面であって樹木１０の根元部１２の周囲に設置し、前記主被着材１及び補助被着材１５の上面側から固定材２を打ち込むことによって前記根鉢１１の周辺部を固定することにより、樹木１０を支持して施工することである。
【０００９】
また、他の樹木の支持施工方法としての特徴は、予め地面に形成された植穴９) 内に根鉢11を収納し、且つ前記植穴９を土等により閉塞することにより植設される樹木の支持施工方法において、樹木10の根元部12に差し込むための切欠３を有する主被着材１を、該切欠３を前記樹木10の根元部12に差し込むことによって根鉢11の上面に被着し、前記主被着材１の切欠３における樹木10の根元部12側を覆うための補助被着材15を、前記主被着材１の上面であって樹木10の根元部12の周囲に設置し、前記主被着材１及び補助被着材15の上面側から固定材２を打ち込むことによって前記根鉢11の周辺部を固定することにより、樹木10を支持して施工することである。
【００１０】
主被着材１は、植穴９の外側まで延設して固定することにより、いわゆるマルチングマットとして機能させることも可能である。
【００１２】
【発明の実施の形態】
以下、本発明の実施形態について図面に従って説明する。
【００１３】
先ず、図１に示すような根鉢用の主被着材１、図２に示すような補助被着材15、並びに図３に示すような根鉢用の固定材２を準備する。
【００１４】
根鉢用の主被着材１は、ウールの滓を圧縮してマット状に形成されたものであり、図１に示すように、全体が平面略正方形状に形成されている。この主被着材１は、圧縮して形成されてはいるが、不織布と同程度の通気性を有している。
【００１５】
また主被着材１の略中央から側縁側にかけて、樹木の根元部を挿入するための切欠３が形成されている。
【００１６】
次に、補助被着材15は、図2に示すように、下辺が上辺よりも長く側辺に斜縁部及び直縁部を有して全体が略ホームベース型に形成されている。
【００１７】
この補助被着材15は、前記主被着材１と同様に、ウールの滓を圧縮してマット状に形成されており、圧縮して形成されてはいるが、不織布と同程度の通気性を有している。
【００１８】
また、補助被着材15の略中央から上辺側にかけて、樹木の根元部を挿入するための切欠16が形成されている。
【００１９】
固定材２は、全体が竹製であり、図２に示すような細長な胴部４と、該胴部４の頂面が左右に突設された頭部５とからなり、全体が略Ｔ字状に形成されている。
【００２０】
固定材２の頭部９の下面には、略楔形の窪み部６が形成されている。
【００２１】
また、胴部４の下端部７は、土中に打ち込み可能となるように、先細に形成されている。
【００２２】
次に、上記のような主被着材１、補助被着材15、及び固定材２を用いてたとえば苗木のような樹木を支持施工する方法について説明する。
【００２３】
先ず、図４に示すように、樹木を設置すべき地面８に植穴９を形成し、その植穴９内に、図５に示すように、樹木10の根鉢９を収納する。
【００２４】
この場合、植穴９内には、必要に応じて土壌改良剤が散布される。また、樹木10の収納後は、その樹木10の根元部12の周辺に灌水がなされる。
【００２５】
次に、図６に示すように、主被着材１を樹木10の根元部12の周囲に設置する。この場合、主被着材１の切欠３の部分を樹木10の根元部12まで差し込むことで、主被着材１が設置されることになる。
【００２６】
次に、図７及び図８に示すように、前記補助被着材15を、前記主被着材１の上面側であって、樹木10の根元部12の周囲に設置する。
【００２７】
この場合、補助被着材15は、その切欠16を前記主被着材１の切欠３が差し込まれた方向と反対側の方向から差し込むことによって、図８に示すように、切欠16が形成されている補助被着材15の上辺が、主被着材１の切欠３が形成されている一側縁側と対向する位置に位置するように設置される。
【００２８】
その後、図９及び図10に示すように、樹木10の根元部12の周囲３箇所の土中に固定材２を打ち込む。この固定材２は、主被着材１と補助被着材15との双方に貫通して打ち込まれる。
【００２９】
また、主被着材１の４角コーナー部には、固定ピン13を貫通させるとともに、土中に打ち込む。この固定ピン13は、主被着材１のみに打ち込まれ、補助被着材15には打ち込まれない。
【００３０】
このようにして、３本の固定材２，…と、４本の固定ピン13，…とによって、主被着材１が固定され、また３本の固定材２，…によって補助被着材15が固定される。
【００３１】
特に、樹木10の根元部12近辺に打ち込まれる固定材２は、全体が略Ｔ字状に形成されて胴部４の頂面から左右に頭部５が突設されているため、固定材２が土中に打ち込まれる際に、図11に示すように固定材２が主被着材１及び補助被着材15を下方に引き込み、それによって主被着材１及び補助被着材15が下方に撓み、その結果、主被着材１及び補助被着材15が根鉢11の上面に被着されて根鉢11を確実に押え込むことができるのである。
【００３２】
特に、固定材２の頭部５の下面側に窪み部６が形成されているため、その頭部５の下面が主被着材１や補助被着材15の編み目に確実に掛止されることになり、主被着材１の根鉢11に対する押圧力がより確実に作用することになる。
【００３３】
従って、上記のような主被着材１及び補助被着材15、並びに固定材２が一体となって、樹木14を確実に支持することができるのである。
【００３４】
さらに、補助被着材15は、その切欠16が前記主被着材１の切欠３が差し込まれる方向と逆方向から差し込まれて、該切欠16の形成されている補助被着材15の上辺が、主被着材１の切欠３が形成されている一側縁側と対向する位置に位置するように設置されているため、主被着材１の切欠３における樹木10の根元部12側の部分は、補助被着材15によって覆われることとなる。
【００３５】
この結果、主被着材１が不用意に捲れ上がることもなく、また主被着材１の切欠３によって生ずる隙間から、雑草が不用意に生育することもないのである。
【００３６】
尚、上記実施形態では、主被着材１や補助被着材15が、ウールの滓を圧縮してマット状に形成されていたが、主被着材１や補助被着材15の構造や材質はこれに限定されるものではない。
【００３７】
たとえば、ヤシの繊維からなるもの、麻や綿等のものを使用することも可能である。さらには、不織布のようなものを用いることも可能であり、また紙製のものや合成繊維からなるものを用いることも可能である。
【００３８】
さらに、上記実施形態では、固定材２を主被着材１や補助被着材15の上面から貫通させる状態で土中に打ち込み、また固定ピン13を主被着材１の上面から貫通させる状態で土中に打ち込んだが、たとえば主被着材１や補助被着材15に予め孔を穿設しておいて、その孔を介して固定材２や固定ピン13を打ち込むことも可能である。
【００３９】
ただし、主被着材１や補助被着材１５に孔を穿設する場合には、その孔から雑草等が生育して伸びる可能性があり、主被着材１等のマルチング効果が低下するため、孔を穿設せずに、上記実施形態のように固定材２等を主被着材１や補助被着材１５に貫通状態で打ち込むことが好ましい。
【００４０】
さらに、上記実施形態では、主被着材１に切込３を形成することによって、樹木10の根元部12を、主被着材１の中央部近辺に挿入する作業を容易に行うことができるという好ましい効果が得られたが、このような切込３を形成することも、本発明に必須の条件ではない。
【００４１】
さらに、上記実施形態では、主被着材１が平面略正方形状に形成されていたが、主被着材１の形状も該実施形態に限定されるものではなく、たとえば略円形や略三角形状に形成することも可能であり、その形状は問わない。
【００４２】
また、補助被着材15の形状も該実施形態の略ホームベース形に限定されるものではない。
【００４３】
さらに、上記実施形態では、固定材２が竹製のものであったが、固定材２の材質も該実施形態の竹に限定されるものではなく、他の木製の素材で構成されていてもよく、また木製のものに限らず、鋼材等の金属製のものであってもよく、さらには生分解性等の分解性樹脂等のものであってもよい。
【００４４】
さらに、上記実施形態では、固定材２が、略Ｔ字状に形成されていたが、固定材２の形状は該実施形態に限定されるものではなく、たとえば図12に示すような十手形のものや、図13に示すような十字形のものであってもよい。
【００４５】
図12では、細長な胴部４の上部から、頭部５が逆Ｌ字状に突設され、図13では、細長な胴部４に対して直交する頭部５が、胴部４の上部に形成されている。
【００４６】
さらに、上記実施形態では、主被着材１を、植穴９の外側まで延設し、マルチングマットとして前記植穴９の外側で固定するとともに、周辺部の地面に敷設可能に形成したため、単に根鉢11を支持固定するだけの機能にとどまらず、植穴９の周辺部の地面で雑草が生育するのを好適に防止することができ、また美観に優れ、さらに土中の温度を保護するとともに、灌水を拡散する等の機能をも有するという好ましい効果が得られたが、このように植穴９の周辺部にまで主被着材１を延設してマルチングマットとしての機能を併有させることは、本発明に必須の条件ではない。
【００４７】
たとえば、主被着材１を植穴９の周辺部の地面にまで延設させず、根鉢11にのみ主被着材１や補助被着材15を被着させることによって、根鉢11を固定することも可能である。
【００４８】
さらに、上記実施形態では、苗木に適用する場合について説明したが、苗木に限らず、苗木以外の小樹木、或いは大型の樹木の支持施工に本発明を適用することも可能である。
【００４９】
【発明の効果】
以上のように、本発明は、樹木の根元部に差し込むための切欠３を有する主被着材を、該切欠を前記樹木の根元部に差し込むことによって根鉢の上面に被着し、前記主被着材の切欠における樹木の根元部側を覆うための補助被着材を、前記主被着材の上面であって樹木の根元部の周囲に設置し、前記主被着材及び補助被着材の上面側から固定材を打ち込むことによって前記根鉢の周辺部を固定することにより、樹木を支持して施工する方法であるため、上記のような主被着材や補助被着材を根鉢の上面に被着させ、これらの被着材を、上面側から打ち込む固定材で固定することにより、被着材が固定材に下方側へ引き込まれて被着材の押圧力が根鉢の上面に好適に作用し、従って、被着材と固定材とが一体となって根鉢を押さえ込んで、根鉢を確実に固定することができ、ひいては樹木を確実に支持することができるという効果がある。
【００５０】
特に、主被着材のみならず補助被着材も樹木根元部の周囲に設置されるため、根鉢を固定する効果が一層良好となる。
【００５１】
さらに、主被着材の切欠における樹木の根元部側を覆うための補助被着材が、主被着材の上面であって樹木の根元部の周囲に設置されるため、主被着材の切欠の根元は補助被着材によって覆われることとなるので、主被着材が不用意に捲れ上がることもなく、また主被着材の切欠によって生ずる隙間から、雑草が不用意に生育することもないという効果がある。
【００５２】
さらに、根鉢の周辺で被着材が固定材で押さえられて固定されるので、根鉢の周辺部にいわゆる水鉢が自然に形成されることになり、その結果、灌水の効果を向上させることができる。
【００５３】
さらに、被着材を、植穴の外側まで延設し、マルクチングマットとしての機能を奏させた場合には、樹木の周辺部において雑草が生育するのを好適に防止することができるという効果がある。
【００５４】
また、マルチングマットとしての機能を奏することにより、美観を維持し、土中の温度を保護し、灌水を拡散する等の効果を有する。
【００５５】
さらに、固定材の頂面が左右に突設されて頭部が形成されることにより、全体が略Ｔ字状に形成される場合には、固定材の打ち込みによる被着材の根鉢に対する押圧作用をより好適に生じさせることができ、特に固定材の頭部の下面に、略楔形の窪み部を形成した場合には、その作用がより良好となる。
【００５６】
また、固定材を竹製のものとした場合には、一定年数経過後に固定材も分解させることができるという効果がある。
【図面の簡単な説明】
【図１】一実施形態としての主被着材の平面図。
【図２】一実施形態としての補助被着材の平面図。
【図３】一実施形態としての固定材の平面図。
【図４】植穴を形成する工程を示す断面図。
【図５】植穴内に根鉢を収納する工程を示す断面図。
【図６】主被着材を樹木の周囲に設置する工程を示す断面図。
【図７】補助被着材を樹木の周囲に設置する工程を示す断面図。
【図８】同平面図。
【図９】固定材を打ち込んで被着材を根鉢に被着させる工程の断面図。
【図１０】同平面図。
【図１１】固定材と被着材との作用の相関関係を示す一部断面側面図。
【図１２】他の実施形態の固定材の正面図。
【図１３】他の実施形態の固定材の正面図。
【符号の説明】
１…主被着材        ２…固定材
５…頭部          10…樹木
11…根鉢          15…補助被着材
【図１】
0003851535.tif 000002
【図２】
0003851535.tif 000003
【図３】
0003851535.tif 000004
【図４】
0003851535.tif 000005
【図５】
0003851535.tif 000006
【図６】
0003851535.tif 000007
【図７】
0003851535.tif 000008
【図８】
0003851535.tif 000009
【図９】
0003851535.tif 000010
【図１０】
0003851535.tif 000011
【図１１】
0003851535.tif 000012
【図１２】
0003851535.tif 000013
【図１３】
0003851535.tif 000014